(57)【要約】【課題】雨水を貯留せずに雨水の流れの勢いを削ぐことができる竪樋排水部品を提供することである。【解決手段】筒状の竪樋排水部品１を竪樋４の排出口４ｂに装着する。竪樋排水部品１の内部に複数の板状部材９を設ける。各板状部材９は雨水１１の通水方向に対して直交する方向に並んで配置されている。そして各板状部材９は雨水１１の通水方向に対して傾斜している。さらに各板状部材９を雨水１１の通水方向から見ると、各板状部材９は、隣接する別の板状部材９と一部が重なっている。竪樋排水部品１内を雨水１１が通過する際に、雨水１１は、通水方向に対して傾斜する複数の板状部材９に沿って流れ、流れの勢いが減衰する。【選択図】図１
2013087608.tif 000002
【特許請求の範囲】
【請求項１】
竪樋の排水口に着脱自在に装着可能な筒状体と、複数の板状部材とを有し、前記複数の板状部材は筒状体の内部に通水方向と直交する方向に並んで配置され、各板状部材は通水方向に対して傾斜して流路の一部を遮蔽しており、各板状部材同士は離間し且つ通水方向から見て重なることを特徴とする竪樋排水部品。
【発明の詳細な説明】
【技術分野】
【０００１】
本発明は、雨水を排出する竪樋の下端に設置される竪樋排水部品に関するものである。
【背景技術】
【０００２】
図５（ｂ）は竪樋排水部品を設置していない従来の竪樋の側面図である。竪樋２４は筒状であり、家屋等の建物２１に対して固定具２２ａ，２２ｂを介して鉛直姿勢で固定されている。竪樋２４の上部には軒樋２３が接続されており、竪樋２４の下端（排出口２４ａ）は地面２０に向けて配置されている。
【０００３】
建物２１の屋根等を伝う雨水２５は、軒樋２３によって回収され、竪樋２４から地面２０に向けて排出される。その際、竪樋２４の下端に設けられた排出口２４ａから雨水２５が勢いよく飛び出すと、雨水２５が地面２０で跳ねて周囲に飛散し、周囲を汚してしまう。そこで竪樋２４の排出口２４ａ（下端）にＬ字形状の配管（図示せず）を接続することによって雨水を水平方向に排出することが考えられる。これにより、雨水の流れ方向がＬ字形状の配管内で変更され、流れの勢いが減衰される。ところが竪樋２４の排出口２４ａに接続されたＬ字形状の配管は、通行する人や自転車等が接触し易く、破壊され易い。
【０００４】
また、地中に雨水浸透枡（図示せず）を設け、雨水を竪樋から雨水浸透枡を介して外部に排出することにより、竪樋の周囲のレイアウトを簡素化することも可能であるが、設備が大掛かりになり、コストアップとなる。
【０００５】
そこで竪樋２４から排出される雨水２５の流れの勢いを削ぐことができる竪樋部品が発案され、このような竪樋部品が例えば特許文献１に開示されている。
【０００６】
特許文献１に開示されている竪樋部品を竪樋の排出口である下端に装着すると、雨水は竪樋部品内で一旦貯留される。そして竪樋部品内の雨水の水位が上昇すると、貯留された雨水が竪樋部品の上部に設けられた開口又は孔から外部に押し出されて排出される。その結果、外部に排出される雨水の勢いは著しく削がれると共に、上述した従来の不具合は解消されるものと思われる。
【先行技術文献】
【特許文献】
【０００７】
【特許文献１】特開２００１−３５２７号公報
【発明の概要】
【発明が解決しようとする課題】
【０００８】
上述のように特許文献１に開示されている竪樋部品は、所定量の雨水を貯留する構造を有しており、雨が止んで竪樋内の雨水の流れが停止しても、竪樋部品内に貯留された雨水を排出する手段がない。その結果、竪樋部品内は不衛生な状態になり易く、異臭や害虫が発生する等の問題が生じ易い。
【０００９】
そこで本発明は、雨水を貯留せずに雨水の流れの勢いを削ぐことができる竪樋排水部品を提供することを目的とする。
【課題を解決するための手段】
【００１０】
上記課題を解決するための請求項１に記載の発明は、竪樋の排水口に着脱自在に装着可能な筒状体と、複数の板状部材とを有し、前記複数の板状部材は筒状体の内部に通水方向と直交する方向に並んで配置され、各板状部材は通水方向に対して傾斜しており、各板状部材同士は離間し且つ通水方向から見て重なることを特徴とする竪樋排水部品である。
【００１１】
請求項１の発明では、複数の板状部材が筒状体の内部に通水方向と直交する方向に並んで配置されているので、筒状体の内部を通過する雨水は、複数の板状部材に沿って流れる。そして各板状部材は、通水方向に対して傾斜しており、各板状部材同士は離間し且つ通水方向から見て重なっているので、雨水は各板状部材によって流れ方向が変更され、各板状部材の間を通過する。すなわち離間して配置された各板状部材が傾斜して通水方向から見て重なっているので、雨水は各板状部材に沿って流れる。そのため雨水は、各板状部材の間を通過する際に抵抗を受けて流れ方向が変更され、流れの勢いが減衰した状態で竪樋の排出口から外部に排出される。その結果、雨水が地面で飛び跳ねるのを抑制することができる。
【００１２】
また、各板状部材がフィルタ機能を奏することができ、雨水と共に流れる異物を板状部材で捕集することができる。その結果、異物が竪樋の周囲に排出されにくくなる。
【００１３】
さらに筒状体は竪樋に着脱自在に装着されているので、竪樋から筒状体を外すことによって、捕集した異物を容易に除去することができる。
【発明の効果】
【００１４】
本発明の竪樋排水部品を竪樋の排出口に設置すると、竪樋内を流れる雨水の勢いが竪樋排水部品内で減衰される。そのため、竪樋から外部へ排出された雨水が地面で飛び跳ねるのを抑制することができる。また本発明の竪樋排水部品は、竪樋の排出口の周囲に突出せず、見栄えが良好であり、人や自転車等の通行の妨げになりにくい。さらに本発明の竪樋排水部品は、内部に雨水が溜まることがなく、異物のみを捕集することができる。そのため雨が止んで雨水の流れが止まると竪樋内が乾燥し易く、竪樋内で異臭や害虫が発生することがなく、また、竪樋の周囲に異物が散乱する事態を抑制することができ、衛生的である。
【図面の簡単な説明】
【００１５】
【図１】本発明の竪樋排水部品を縦断した分解正面図である。
【図２】（ａ）は本発明の竪樋排水部品の平面図であり、（ｂ）は（ａ）のｂ−ｂ断面図である。
【図３】図１，図２とは別の本発明の竪樋排水部品の縦断正面図である。
【図４】（ａ）は図１〜図３とはさらに別の本発明の竪樋排水部品の分解斜視図であり、（ｂ）は（ａ）の組立斜視図である。
【図５】（ａ）は本発明の竪樋排水部品を設置した竪樋の側面図であり、（ｂ）は竪樋排水部品を設置していない従来の竪樋の側面図である。
【発明を実施するための形態】
【００１６】
以下では、本発明の竪樋排水部品の実施形態について、図面を参照しながら詳細に説明する。なお、以下の説明は、実施形態の理解を容易にするためのものであり、これによって、本発明が制限して理解されるべきではない。
【００１７】
図１に示すように竪樋排水部品１は、接続部材２と本体部３とで構成されている。接続部材２は円筒形状を呈しており、外面２ａと内面２ｂとを有する。外面２ａにおける下側には外ねじ部５が設けられている。また、接続部材２内には内部空間６が形成されている。
【００１８】
本体部３は円筒形状を呈している。本体部３の内面３ａの直径は、接続部材２の外面２ａの直径よりも大きい。本体部３内には内面３ａで仕切られた流路８が形成されている。内面３ａの上部側の部位には内ねじ部７が設けられている。また、内面３ａの下部側の部位には、複数の板状部材９が固着されている。
【００１９】
各板状部材９は、本体部３の直径方向に並んで配置されている。すなわち各板状部材９は、流路８（通水方向）と直交する方向に並んで配置されている。そして各板状部材９は、流路８（通水方向）に対して所定角度（例えば通水方向に対して３０〜６０度）だけ傾斜して両端が内面３ａに接着されている。すなわち各板状部材９は平行であり、互いに離間している。各板状部材９の幅及び高さは同じであるが、図２（ａ）に示すように各板状部材９の長さは設置先の本体部３の中央に近づくほど長くなり、端にいくほど短くなる。
【００２０】
図５（ａ）に示すように竪樋４は、建物２１に対して固定具２２ａ，２２ｂで固定され、鉛直姿勢で保持されている。竪樋４の上端には軒樋２３が接続されている。この竪樋４の下端（排出口４ａ）に竪樋排水部品１を装着する。
【００２１】
図２（ｂ）に示すように竪樋４と竪樋排水部品１の接続部材２は、接着剤１０で固着される。すなわち、竪樋４の外径よりも接続部材２の内面２ｂの直径の方が若干大きく、竪樋４の下端部分の周囲に接続部材２を外嵌し、竪樋４と接続部材２とを接着剤１０で固着する。よって、接続部材２の内部空間６内に竪樋４の下端部分が配置される。これによって、接続部材２が竪樋４の下端に一体化される。
【００２２】
次に、竪樋４に固着された接続部材２に対して、本体部３を固定する。すなわち、接続部材２の外ねじ部５と本体部３の内ねじ部７とが螺合し、接続部材２と本体部３とが結合する。その結果、本体部３が竪樋４に固定される。
【００２３】
前述のように本体部３の内面３ａには複数の板状部材９が固定されている。これらの板状部材９は、通水方向に対して傾斜している。図２（ａ）に示すように、内面３ａに固着された各板状部材９を通水方向から見ると、隣接する板状部材９同士が部分的に少しずつ重なっている。そのため、各板状部材９の下端部分は隣接する別の板状部材９の上部部分と重なって見えない。図２（ａ）において示す複数の破線は、各々隣の板状部材９で隠れた下端部分の輪郭を示している。
【００２４】
竪樋排水部品１は、以上説明した構成を有しており、竪樋４に対して固定される。雨水１１が図５（ａ）に示す軒樋２３から竪樋４に導かれると、雨水１１は竪樋排水部品１を通過する。その際、雨水１１は、通水方向に対して傾斜する複数の板状部材９に沿って流れる。すなわち、雨水１１の進行方向は傾斜する複数の板状部材９によって変更される。
【００２５】
その際、板状部材９は、勢いよく流れる雨水１１の抵抗体となり、板状部材９を通過した雨水１１の流れの勢いは減衰する。そして、流れの勢いが減衰した雨水１１が竪樋排水部品１から外部へ排出される。その際、雨水１１の流れの勢いは減衰しているので、図５（ａ）に示すように雨水１１が地面２０で飛散するのが抑制されると共に、地面２０が浸食されるのが抑制される。
【００２６】
図１及び図２（ｂ）に示す例では、各板状部材９が本体部３の下端付近に設置されているが、各板状部材９を図３に示すように本体部３の下端よりも上に設置してもよい。このように構成すると、板状部材９を通過した雨水１１は、本体部３の内面３ａに沿って流れるので、雨水１１は竪樋排水部品１の直下に流れる。そのため、雨水１１は竪樋４の直下から逸脱して飛散しにくい。
【００２７】
板状部材９には雨水１１と共に流れる木の葉等の異物が引っ掛かり、溜まることがある。このような場合であっても、本体部３と接続部材２の螺合を解除して接続部材２（竪樋４側）から本体部３を取り外すことにより、容易に異物を除去することができる。また、板状部材９にこのようなフィルタ機能を持たせるのではなく、別に網状の部材を板状部材９よりも上方に設置することも可能である。すなわち、本発明の竪樋排水部品１を設置することにより、竪樋４から異物が排出されるのを防止することができる。また、竪樋排水部品１の内部には雨水１１が溜まる部位がないので、衛生的である。
【００２８】
次に、図１の竪樋排水部品１の変形例を、図４を参照しながら説明する。図４（ａ）に示す竪樋排水部品１４は、接続部材１５と本体部１６とを有する。接続部材１５は円筒形状を呈しており、接続部材１５の内面１５ｂの直径は、竪樋４（図５（ａ））の外径よりも若干大きい。
【００２９】
また、接続部材１５の外面１５ａには一対の鍔１７が固着されている。各鍔１７は円弧形状を呈する板状の部材である。鍔１７上には所定の間隔を置いて２つのリブ１９が設置されている。リブ１９は、鍔１７上に形成された突起状の部材である。そして接続部材１５の外面１５ａに固着された各鍔１７は、同一平面上に配置されている。そして両鍔１７の間には隙間１７ａが２つ形成されている。図４では隙間１７ａが１つだけしか描写していないが、各鍔１７の両端が各々離間して対向配置されており、その結果隙間１７ａは２箇所に形成されている。
【００３０】
次に、本体部１６は円筒形状を呈しており、本体部１６の内面１６ａの直径は、接続部材１５の外面１５ａ及び鍔１７をちょうど収容することができる大きさである。そして内面１６ａの上端の２箇所には突起１８が設けられている。２つの突起１８は、対向して内向きに突出している。また、内面１６ａの下端側には複数の板状部材９が設けられている。各板状部材９は、図２（ｂ）の竪樋排水部品１の場合と同様に通水方向に対して傾斜している。
【００３１】
このような構造を有する竪樋排水部品１４は、次のようにして竪樋４に取り付けられる。すなわち、竪樋４の下端部分の外面に接続部材１５を接着固定する。なお、図４（ｂ）では、竪樋４の描写を省略している。
【００３２】
次に、本体部１６を接続部材１５の下方から接近させ、隙間１７ａから突起１８を通過させる。すなわち、隙間１７ａの幅は、突起１８の幅よりも大きい。そして突起１８が鍔１７よりも上方にくると、本体部１６を矢印Ａで示す方向（又はその逆方向）に回転させ、突起１８を鍔１７上の２つのリブ１９の間に配置する。そして本体部１６を降下させて突起１８を鍔１７上に載置する。すなわち、２つのリブ１９の間隔は、突起１８の幅よりも大きい。
【００３３】
突起１８が鍔１７上に載置されると、本体部１６が接続部材１５（竪樋４側）に保持される。また、本体部１６を回転させようとすると、突起１８がリブ１９に当接する。よって突起１８が隙間１７ａの位置まで回転移動することがなく、本体部１６が接続部材１５から不用意に外れて落下することがない。
【００３４】
本体部１６を接続部材１５（竪樋４側）から取り外す際には、本体部１６を持ち上げ、さらに矢印Ａで示す方向（又はその逆方向）に回転させると、突起１８がリブ１９を越える。そして突起１８を隙間１７ａに位置合わせし、本体部１６を下降させると、突起１８が隙間１７ａを通過し、本体部１６が接続部材１５から外れる。
【００３５】
ここで、本体部１６の内面１６ａに鍔１７を設け、接続部材１５の外面１５ａに突起１８を設けても同様の作用効果を奏することができる。すなわち、この場合には接続部材１５側に固定した突起１８上に本体部１６の内面１６ａに固定した鍔１７を載置する。よって、この場合にはリブ１９は鍔１７の下面側に設置する。
【００３６】
また、竪樋排水部品１，１４を、２つの部材（接続部材２，１５と本体部３，１６）で構成する例を説明したが、本体部３，１６に該当する部材を直に竪樋４，１４の下端（排出口）に取り付けてもよい。すなわち、竪樋４，１４の下端の外面に外ねじ部５や鍔１７（隙間１７有り）を設け、本体部３，１６の内ねじ部７や突起１８を係合させると、本体部３，１６は竪樋４，１４に対して着脱可能に装着できる。
【００３７】
なお、以上では竪樋４の横断面が円形の筒状体であったが、横断面が四角形やその他の形状の筒状体であっても本発明の竪樋排水部品を使用して雨水の流れの勢いを減衰させることができる。
【符号の説明】
【００３８】
１，１４  竪樋排水部品
２，１５  接続部材
３，１６  本体部（筒状体）
４    竪樋
４ｂ  排出口（排水口）
８  流路
９    板状部材
１１  雨水
【図１】
2013087608.tif 000003
【図２】
2013087608.tif 000004
【図３】
2013087608.tif 000005
【図４】
2013087608.tif 000006
【図５】
2013087608.tif 000007